(57)【要約】【課題】電柱と電柱の間に掛け渡された吊線に対してケーブルハンガを地上から容易に架設できるようにする。【解決手段】左右一対のケーブル保持部７と左右一対の吊線支持部９と左右一対のストッパ部１１とが一体に連続して形成されたケーブルハンガ３を保持するケーブルハンガ保持装置１であって、上下に長い竿の先端に取付けられた保持装置本体１７に、前記吊線支持部９の頭部９ｃを保持する第１ハンガ保持部１９と、前記吊線支持部９へ続くケーブル保持部７の左右背面部７ｂ、７ｂをそれぞれ支持する左右一対の第２ハンガ保持部２１、２２とを設ける。左右に一対設けた第２ハンガ保持部２１、２２の一方を正面から見た時に前面及び上下両端が開放された前向きの保持溝３１とする一方、他方の第２ハンガ保持部２２を前記前向きの保持溝３１を背にして側面及び上下両端が開放された横向きの保持溝３３とし、その横向きの保持溝３３から外へケーブル保持部７の一方の背面部７ｂを臨ませた位置とすることで、ケーブルハンガ３から保持装置本体１の取外しを容易とする。【選択図】図１
2007244092.tif 000002
【特許請求の範囲】
【請求項１】
上方が挿入開放口となる上向きＵ字状に形成された一対のケーブル保持部と、Ｕ字状に形成された一方となるケーブル保持部の正面側は一体に連続し合う上向きの自由端に形成され、他方となる背面側は側方からみて正面側へ円弧状に屈曲された下向きＵ字状の一対の吊線支持部と、その吊線支持部からさらに延長され側方からみて前記挿入開放口を横切るよう下降傾斜した一対のストッパ部とを有し、前記吊線支持部は、下向きＵ字状に形成された支持部前側が、正面からみた時に前記ケーブル保持部の背面部へ続く支持部後側と垂直軸線に対して重なり合う位置から所定角度外側へ開いた形状となるケーブルハンガを保持するケーブルハンガ保持装置であって、上下に長い竿の先端に取付けられた保持装置本体は、前記吊線支持部の頭部を上から保持する第１ハンガ保持部と、前記吊線支持部へ続くケーブル保持部の左右背面部をそれぞれ支持する左右一対の第２ハンガ保持部とを有し、左右一対の第２ハンガ保持部を正面から見た時に、一方の第２ハンガ保持部を前面及び上下両端が開放された前向きの保持溝とする一方、他方の第２ハンガ保持部を前記前向きの保持溝を背にして側面及び上下両端が開放された横向きの保持溝としたことを特徴とするケーブルハンガ保持装置。
【請求項２】
前記第１ハンガ保持部は、吊線支持部の頭部を上方から吸着する磁石を備えていることを特徴とする請求項１記載のケーブルハンガ保持装置。
【請求項３】
保持装置本体には、吊線に当てて保持装置本体を上下に誘導案内する垂直なガイド部材を備えていることを特徴とする請求項１記載のケーブルハンガ保持装置。
【発明の詳細な説明】
【技術分野】
【０００１】
本発明は、電柱と電柱の間に掛け渡された吊線に対して地上からケーブルハンガを所定の間隔で架設するのに適するケーブルハンガ保持装置に関する。
【背景技術】
【０００２】
一般に、光ケーブル等の各種ケーブルはケーブルハンガ内に配線支持される。ケーブルハンガは、例えば線材によってスパイラル状に加工成形され、電柱と電柱の間に掛け渡された吊線に架設された状態で使用される。
【特許文献１】特公昭５２−４０３３号公報
【発明の開示】
【発明が解決しようとする課題】
【０００３】
スパイラル状のケーブルハンガは、長尺物に作られた連続する螺旋となるところから、多大の材料を必要としコスト高を招くようになる。
【０００４】
また、架設作業にあたって電柱間に掛け渡された吊線に対してケーブルハンガの端から順々に通していくため作業に時間がかかり、作業性の面に望ましくない等の問題をかかえる。
【０００５】
そこで、前記問題の解消を図った新たなケーブルハンガが本出願人より提案されているが、そのケーブルハンガを地上からでも吊線に対して１つ１つ容易に架設することのできるケーブルハンガ保持装置を提供することを目的とする。
【課題を解決するための手段】
【０００６】
前記目的を達成するために、本発明にあっては、上方が挿入開放口となる上向きＵ字状に形成された一対のケーブル保持部と、Ｕ字状に形成された一方となるケーブル保持部の正面側は一体に連続し合う上向きの自由端に形成され、他方となる背面側は側方からみて正面側へ円弧状に屈曲された下向きＵ字状の一対の吊線支持部と、その吊線支持部からさらに延長され側方からみて前記挿入開放口を横切るよう下降傾斜した一対のストッパ部とを有し、前記吊線支持部は、下向きＵ字状に形成された支持部前側が、正面からみた時に前記ケーブル保持部の背面部へ続く支持部後側と垂直軸線に対して重なり合う位置から所定角度外側へ開いた形状となるケーブルハンガを保持するケーブルハンガ保持装置であって、上下に長い竿の先端に取付けられた保持装置本体は、前記吊線支持部の頭部を上から保持する第１ハンガ保持部と、前記吊線支持部へ続くケーブル保持部の左右背面部をそれぞれ支持する左右一対の第２ハンガ保持部とを有し、左右一対の第２ハンガ保持部を正面から見た時に、一方の第２ハンガ保持部を前面及び上下両端が開放された前向きの保持溝とする一方、他方の第２ハンガ保持部を前記前向きの保持溝を背にして側面及び上下両端が開放された横向きの保持溝としたことを特徴とする。
【発明の効果】
【０００７】
本発明のケーブルハンガ保持装置によれば、ケーブルハンガの頭部を第１ハンガ保持部によって、ケーブル保持部の左右背面部を第２ハンガ保持部によってそれぞれ保持することができる。
【０００８】
また、ケーブルハンガを保持した保持装置本体を上方へ持ち上げ、下向きＵ字状に形成された吊線支持部を電柱と電柱の間に掛け渡された吊線に上方から強制的に係合させることでケーブルハンガを吊線に架設することができる。
【０００９】
この吊線支持部の係合時、支持部前側が所定角度外側へ開いた状態で強制的に係合させるため一体に連続し合うケーブル保持部の左右背面部は左右方向に開き勝手の作用が働く。この結果、一方のケーブル保持部は横向きの保持溝から外へ飛び出すため、ケーブル保持部の左右背面部の前面及び上下両端が開放された状態が作られる。したがって、保持装置本体を上昇させると、第１ハンガ保持部は吊線支持部の頭部から離れる一方、第２ハンガ保持部はハンガ保持部の左右背面部に沿って上昇し、吊線に架設されたケーブルハンガから保持装置本体を取外すことができる。以下、前記操作を行なうことで吊線に対してケーブルハンガを地上から容易に架設することができる。
【発明を実施するための最良の形態】
【００１０】
本発明は第１に、吊線支持部の頭部を上方から吸着する磁石を第１ハンガ保持部に備えることで、ケーブルハンガの頭部の保持及び保持解除を容易に行なえるようにする。
【００１１】
第２に、吊線に当てて保持装置本体を上下に誘導案内する垂直なガイド部を保持装置本体に備えることで、上方へ持ち上げた保持装置本体を吊線に沿って確実にガイドが行えるようにする。
【実施例】
【００１２】
以下、図１乃至図１０の図面を参照しながら本発明の実施形態について具体的に説明する。
【００１３】
図１は本発明にかかるケーブルハンガ保持装置の概要側面図、図２はケーブルハンガ保持装置の概要正面図、図３はケーブルハンガ保持装置の概要平面図をそれぞれ示している。
【００１４】
ケーブルハンガ保持装置１は、図５に示すケーブルハンガ３を保持する専用の保持装置となっている。ここで、ケーブルハンガ保持装置１の説明に入る前にまずケーブルハンガ３についてその概要を図５と図６に基づいて説明する。
【００１５】
図５はケーブルハンガ３の正面図、図６はその斜視図をそれぞれ示し、各方向の定義は、正面図を基準として上下（矢印イ）、左右（矢印ロ）、前後（紙面表から裏面）となっている。
【００１６】
ケーブルハンガ３は、上方が挿入開放口５となる上向きＵ字状に形成された一対のケーブル保持部７，７と、Ｕ字状に形成された一方となるケーブル保持部７の正面側は一体に連続し合う上向きの自由端７ａに形成され、他方となる左右の背面部７ｂは側方からみて正面側へ円弧状に屈曲された下向きＵ字状の一対の吊線支持部９，９と、その吊線支持部９からさらに延長され側方からみて前記挿入開放口５を横切るよう下降傾斜した一対のストッパ部１１，１１とを有し、前記吊線支持部９は、下向きＵ字状に形成された支持部前側９ａが、正面からみた時に前記ケーブル保持部７の背面部７ｂへ続く支持部後側９ｂと垂直軸線に対して重なり合う位置から所定角度θ外側へ開いた形状となっている。
【００１７】
吊線支持部９の支持部前面９ａが所定角度θ開いている理由は、図６に示すように、吊線１３の軸心線に対して平行な関係位置より吊線支持部９の中心軸心線Ｘを鎖線で示す如く大きく偏位させることで、吊線１３に対して上方から強制的に係合させた時に、左側の吊線支持部９は反時計回り方向の、右側の吊線支持部９は時計回り方向の強い捩れを発生させる。この捩れにより、図５に示すようにケーブル支持部７の左右背面部７ｂを実線から鎖線で示すように外側へ拡き勝手に作用させる働きと同時に、その捩れ反力によって、吊線支持部９が吊線１３に対して喰い込み勝手に作用する働きによって確実な架設状態を確保するためとなっている。ストッパ部１１が開いた状態から閉じた時、ケーブル保持部７（正面側）とのラップ量が増えること（側面からみた時）によってケーブルハンガ３からぬけずらくなっている。
【００１８】
一方、ケーブルハンガ保持装置１は、上下に長い竿１５の先端に取付けられた保持装置本体１７に、第１ハンガ保持部１９及び左右一対の第２ハンガ保持部２１，２２とガイド部材２３と取付部２５とを備えている。
【００１９】
第１、第２ハンガ保持部１９、２１の内、第１ハンガ保持部１９は、前記ケーブルハンガ３の左右の吊線支持部９の頭部９ｃを上方から保持するもので、保持装置本体１７を構成する水平ベース部１７ａから立上がる垂直ベース部１７ｂの上部張り出し部１７ｃの下面に設けられている。第１ハンガ保持部１９は断面円弧状で、下方が開放された係合凹部２７となっていて、ケーブルハンガ３の頭部９ｃの上方への動きと、前後（図１、左右）への動きを拘束する形状となっている。
【００２０】
第１ハンガ保持部１９には、前記ケーブルハンガ３の吊線支持部９の頭部９ｃを磁力によって上方から吸着する磁石２９が設けられている。
【００２１】
第２ハンガ保持部２１、２２は、図４に示すように左右に一対配置されていて前記ケーブルハンガ３のケーブル保持部７となる左右背面部７ｂ、７ｂをそれぞれ保持するもので、前記水平ベース部１７ａから立上がる垂直ベース部１７ｂに取付けられている。
【００２２】
第２ハンガ保持部２１、２２の内、一方の第２ハンガ保持部２１は、前記垂直ベース部１７ｂの側面とによって正面（図４矢印ハ）からみた時に前面及び上下両端が開放された前向きの保持溝３１となっていて、平面からみて冂状の形状となっている。
【００２３】
他方の第２ハンガ保持部２２は、前記前向きの保持溝３１を背にして側方及び上下両端が開放された横向きの保持溝３３となっていて、平面からみて匚状の形状となっている。
【００２４】
取付部２５は垂直ベース部１７ｂと一体形状に構成され上下に長い竿１５の先端が固定ボルト３５によって固定支持されている。
【００２５】
ガイド部材２３は、水平ベース部１７ａから垂直に立上がる形状となっていて上端は自由端となっている。ガイド部材２３は全体の軽量化を図るために上下に長い抜き孔を有すると共に内側は吊線１３と接触し合うガイド面２３ａとなっている。
【００２６】
ガイド部材２３のガイド面２３ａは、図７に示すように吊線１３と接触するよう上昇させた後、さらに接触された状態で上昇させケーブルハンガ３のストッパ部１１を越えた状態で下降させた時に、吊線１３に対して第１、第２ハンガ保持部１９、２１、２２によって保持されたケーブルハンガ３のケーブル保持部７を矢印の如く吊線１３へ向けて案内する誘導案内面となっている。
【００２７】
このように構成されたケーブルハンガ保持装置１によれば、ケーブルハンガ３の吊線支持部９の頭部９ｃを第１ハンガ保持部１９によって、ケーブル保持部７の左右背面部７ｂ、７ｂを第２ハンガ保持部２１、２２によってそれぞれ保持する。
【００２８】
この時、ケーブルハンガ３の左右背面部７ｂ、７ｂは、前向きと横向きの各保持溝３１、３３と頭部９ｃの上方を支持する４点支持によって前後及び上方への動きが拘束されるため確実に保持することができる。続いて、保持装置本体１７を持ち上げガイド部材２３のガイド面２３ａを吊線１３に接触させ、そのまま、さらに上昇させる。この上昇により、吊線１３は図７、矢印で示すようにストッパ部１１を越えてケーブル保持部７内へ臨むようになる。この状態において、今度は竿１５によって保持装置本体１７を下向きに下降させれば、吊線支持部９は吊線１３に対して上方から強制的に係合し合い吊線１３に架設される。この吊線１３への強制的な吊線支持部９の係合時に、ケーブル保持部７の左右背面部７ｂ、７ｂは左右となる外側へ向け拡き勝手の作用が働くようになるが、図９に示すように左側の背面部７ｂは前向きの保持溝３１により両サイドが押えられた状態にあるため右側の背面部７ｂのみ横向きの保持溝３３から外へ鎖線から実線の如く飛び出す。
【００２９】
この結果、左右背面部７ｂ、７ｂを前面と上下両端が開放された状態におかれるため、保持装置本体１７をそのまま上昇（矢印ニ）させれば、吊線支持部９の頭部９ｃから第１ハンガ保持部１９が離れる。と同時に、左右背面部７ｂ、７ｂから第２ハンガ保持部２１、２２が離れることで、吊線１３に架設されたケーブルハンガ３を保持装置本体１７から取外すことができる。以下、前記操作を繰返すことで、吊線１３に対してケーブルハンガ３を地上から容易に架設することができる。
【００３０】
この場合、ハンガケーブル３に予めケーブルをセットした状態で架設するとハンガケーブル３と一緒に配線することが可能となる。
【図面の簡単な説明】
【００３１】
【図１】本発明にかかるケーブル保持装置の概要側面図。
【図２】ケーブル保持装置の概要正面図。
【図３】ケーブル保持装置の概要平面図。
【図４】第２ケーブル保持部の概要拡大斜視図。
【図５】ケーブルハンガの概要正面図。
【図６】ケーブルハンガの概要斜視図。
【図７】ケーブルハンガを保持した図１と同様の概要側面図。
【図８】ケーブルハンガを保持した図２と同様の概要正面図。
【図９】ケーブルハンガの第２ケーブル保持部に対する動作説明図。
【図１０】吊線にケーブルハンガを所定の間隔で架設した説明図。
【符号の説明】
【００３２】
３    ケーブルハンガ
５    上方開放口
７    ケーブル保持部
７ａ    正面側の自由端
７ｂ    左右背面部
９    吊線支持部
９ａ    支持部前側
９ｂ    支持部後側
９ｃ    頭部
１１    ストッパ部
１３    吊線
１５    竿
１７    保持装置本体
１９    第１ハンガ保持部
２１、２２    第２ハンガ保持部
２３    ガイド部材
２９    磁石
３１    前向きの保持溝
３３    横向きの保持溝
【図１】
2007244092.tif 000003
【図２】
2007244092.tif 000004
【図３】
2007244092.tif 000005
【図４】
2007244092.tif 000006
【図５】
2007244092.tif 000007
【図６】
2007244092.tif 000008
【図７】
2007244092.tif 000009
【図８】
2007244092.tif 000010
【図９】
2007244092.tif 000011
【図１０】
2007244092.tif 000012